(57)【要約】【課題】ゲーブル・トップ・パッケージ用の汎用トップ密封システムを提供すること。【解決手段】密封されるトップ・フィンを有するゲーブル・トップ・パッケージ用のトップ・シーラが、アーム支持部と、アーム支持部に枢動的に設置される一対の対向アームとを有する。アームはそれぞれ、その端部の辺りに密封ジョーを有する。アームは、弧を経由して、互いに向かって及び互いから離れるように密封ジョーを移動させるように枢動可能である。アーム支持部は、アームが枢動する際に、パッケージの方向に及びパッケージから離れるように直線的に移動可能であって、枢動する密封ジョーの弧を変化させるように、パッケージの方向に下方に密封ジョーを移動させる。【選択図】図２
2008280090.tif 000002
【特許請求の範囲】
【請求項１】
形成／充填／密封パッキング装置において、形成され、充填され及び密封されるゲーブル・トップ・パッケージ用のトップ・シーラであって、
フレームと、
前記フレームによって支持され、前記フレームに対する往復運動のために設置され、部分的に円筒部を画成し、それに設置されるカム従動子を有するキャリッジと、
前記キャリッジに作動可能に連結され、それぞれが密封ジョーをそれぞれその一端部の辺りで支持し、前記密封ジョーと対向する一端部で前記キャリッジに作動可能に連結される一対の対向アームと、
前記アームをそれに設置するために構成された支持部分であって、各アームは、前記密封ジョーと前記対向端部との中間の枢動点で、前記支持部分に枢動自在に設置され、前記アームは、互いへ向かう及び互いから離れるような、あるプロファイルに沿った前記密封ジョーの枢動運動のために設置され、前記支持部分は、それに設置されたカム従動子を有する支持部分と、
前記円筒部内に存在し、前記支持部分に作動自在に連結された延在部分を有するピストンと、
前記キャリッジのカム従動子のための第１のカム軌道と、前記支持部分のカム従動子のための第２のカム軌道とを画成するカム要素とを備え、
前記カムの動きが、互いに向かって前記密封ジョーを移動させるように前記アームを枢動する前記キャリッジを動かし、前記カムの動きが、前記プロファイルの初頭部分で、前記プロファイルの弧を急勾配にするように、及びその後前記プロファイルの前記弧を平坦化するように、前記枢動点を移動させる、トップ・シーラ。
【請求項２】
前記カム要素は、前記支持のカム従動子を受容するためのより小さな内方軌道と、前記キャリッジのカム従動子を受容するためのより大きな外方軌道とを有する回転カム要素である、請求項１に記載のトップ・シーラ。
【請求項３】
前記支持部分は、前記ピストンによって前記キャリッジに設置される、請求項１に記載のトップ・シーラ。
【請求項４】
前記密封ジョーの一方が、前記ゲーブル・トップ・パッケージ上のクロージャを受容するための開口中央領域を有する、請求項１に記載のトップ・シーラ。
【請求項５】
形成／充填／密封パッキング装置において、形成され、充填され及び密封されるゲーブル・トップ・パッケージ用のトップ・シーラであって、前記ゲーブル・トップ・パッケージは、前記トップ・シーラで固定的に保持され、前記トップ・シーラは、前記ゲーブル・トップ・パッケージ上のトップ・フィンを密封するように構成され、
アーム支持部と、
前記アーム支持部に枢動的に設置され、それぞれがその端部の辺りに密封ジョーを有し、弧を経由して互いに向かって及び互いから離れるように、前記密封ジョーを移動させるように枢動可能である一対の対向アームと
を備え、
前記アーム支持部は、前記アームが枢動して、移動している密封ジョーの前記弧を変化させるように、前記パッケージの方向に前記密封ジョーを移動させることにより、前記パッケージの方向に及び前記パッケージから離れるように直線的に移動可能である、トップ・シーラ。
【請求項６】
前記支持部分は、前記密封ジョーの前記弧を漸減させるように、前記パッケージの方向に移動可能であり、前記密封ジョーの前記弧を漸進させるように、前記パッケージから離れるように移動可能である、請求項５に記載のトップ・シーラ。
【請求項７】
前記アームの枢動運動を実現するように、前記アームに作動可能に連結されるキャリッジを有する、請求項５に記載のトップ・シーラ。
【請求項８】
前記キャリッジの直線的な移動がリンクを介して前記アームの枢動運動に変換されるように、前記アームに前記キャリッジを連結し、前記密封ジョーの対向側の前記アームの各端部で前記アームに連結されている前記リンクを有する、請求項７に記載のトップ・シーラ。
【請求項９】
前記キャリッジを直線的に移動させるように、前記キャリッジに作動可能に連結されたカムを有する、請求項８に記載のトップ・シーラ。
【請求項１０】
前記カムは、前記アームが枢動する際に、前記パッケージの方向に及び前記パッケージから離れるように前記アーム支持部を直線的に移動させるように、前記アーム支持部に作動可能に連結される、請求項９に記載のトップ・シーラ。
【請求項１１】
円筒部と、前記キャリッジによって支持されるピストンとを有し、前記ピストンは、前記円筒部に対して移動可能であって、前記密封ジョーが前記パッケージ・トップ・フィン上に密封力を加えるための力を与えるように、前記支持アームに対して前記キャリッジをさらに移動させる、請求項９に記載のトップ・シーラ。
【請求項１２】
密封されるトップ・フィンを有するゲーブル・トップ・パッケージを形成し、充填し及び密封するために構成され、輸送経路に沿って複数のステーションを経由して前記パッケージを輸送するためのコンベア・システムを有する、形成／充填／密封パッキング装置であって、
カートン格納室と、
カートン組立ステーションと、
カートン底部密封ステーションと、
充填ステーションと、
アーム支持部を有するトップ密封ステーションと、
前記アーム支持部に枢動的に設置され、それぞれがその端部の辺りに密封ジョーを有し、弧を経由して互いに向かって及び互いから離れるように、前記密封ジョーを移動させるように枢動可能である一対の対向アームとを備え、
前記アーム支持部は、前記アームが枢動して、移動している密封ジョーの前記弧を変化させるように、前記パッケージの方向に前記密封ジョーを移動させることにより、前記パッケージの方向に及び前記パッケージから離れるように直線的に移動可能である、形成／充填／密封パッキング装置。
【請求項１３】
前記支持部分は、前記密封ジョーの前記弧を漸減させるように、前記パッケージの方向に移動可能であり、前記密封ジョーの前記弧を漸進させるように、前記パッケージから離れるように移動可能である、請求項１２に記載の形成／充填／密封パッキング装置。
【請求項１４】
前記アームの枢動運動を実現するように、前記アームに作動可能に連結されるキャリッジを有する、請求項１２に記載の形成／充填／密封パッキング装置。
【請求項１５】
前記キャリッジの直線的な移動がリンクを介して前記アームの枢動運動に変換されるように、前記アームに前記キャリッジを連結し、前記密封ジョーの対向側の前記アームの各端部で前記アームに連結されている前記リンクを有する、請求項１４に記載の形成／充填／密封パッキング装置。
【請求項１６】
前記キャリッジを直線的に移動させるように、前記キャリッジに作動可能に連結されたカムを有する、請求項１５に記載の形成／充填／密封パッキング装置。
【請求項１７】
前記カムは、前記アームが枢動する際に、前記パッケージの方向に及び前記パッケージから離れるように前記アーム支持部を直線的に移動させるように、前記アーム支持部に作動可能に連結される、請求項１６に記載の形成／充填／密封パッキング装置。
【請求項１８】
円筒部と、前記キャリッジによって支持されるピストンとを有し、前記ピストンは、前記円筒部に対して移動可能であって、前記密封ジョーが前記パッケージ・トップ・フィン上に密封力を加えるための力を与えるように、前記支持アームに対して前記キャリッジをさらに移動させる、請求項１６に記載の形成／充填／密封パッキング装置。
【発明の詳細な説明】
【技術分野】
【０００１】
本発明は、ゲーブル・トップ・カートン（山形頂部紙容器）のフィンを密封するための装置及び方法を対象とする。より詳細には、本発明は、ゲーブル・トップ・カートンのゲーブル・パネル及びフィンを密封しゲーブル・トップ・カートンのゲーブル・パネル及びフィンに折り目をつけるための、トップ・シーラ（密封具）・ジョー組立体と、そのための方法とに関する。
【背景技術】
【０００２】
ゲーブル・トップ・カートンは、広く使用されている。そのようなカートンは、２０世紀の殆どの間に知られるようになった。特徴的な簡易性及び幅広い支持が、例えば牛乳及びジュースなどの液体食品などの従来製品のためのカートンとしてのその人気を維持するのを助けてきた。
【０００３】
ゲーブル・トップ・カートンの改良は続いており、そのような改良の１つにおいて、製品へのアクセスが、ゲーブル・パネルの１つに一体的に密封される注ぎ口によって提供される。「従来の」注ぎ口装置においては、開口が、ゲーブル・パネル中に形成され、プラスチック又は同様のものの注ぎ口が、パネルに溶着され、又は密封される。ねじ式クロージャなどのキャップが、容器の再密封自在性を実現するように、注ぎ口にはめ合わされる。そのような注ぎ口は、製品へのアクセスのその容易性と、製品の鮮度の維持を助けるその能力とにより、広く使用され、広い支持を受けるようになった。
【０００４】
予想されるように、製品及び消費者の要望は共に、様々であるため、ゲーブル・トップ・カートンは、種々の容量及びパッケージ規格に対応する種々の寸法で提供される。例えば、ゲーブル・トップ・カートンは、７０ｍｍ×７０ｍｍ、７０ｍｍ×９５ｍｍ、９１ｍｍ×９１ｍｍ、及び９５ｍｍ×９５ｍｍの規格寸法で提供される。
【０００５】
これらのカートンのトップ・フィンを密封するために、既知の形成／充填／密封パッキング装置が、水平に往復運動するジョー装置又はアンビル装置を使用する。アンビルは、注ぎ口及びキャップが、移動中のアンビルによって押しつぶされないようにパッケージの注ぎ口及びキャップを受容するための開口を有する。アンビルは、アンビルの移動が、アンビルがサイクルの下方向移動部分においてカートンに接触する状態で、実質的に若干弧状の移動となるように、一対の枢動アームによってパッキング装置に設置される。そのような装置が、Ｃｉｃｈａの、米国特許第６，４３０，８９９号において説明され、これは、本出願と共に本発明の譲受人に譲渡され、参照により本明細書に採用する。
【０００６】
この装置はその意図された目的に対して非常によく機能するが、アンビルの下方向移動が、トップ・フィンに沿った擦削、及び／又はカートンのゲーブル・パネルへの掻き下がりに至る可能性があることが明らかになっており、これらの動作は共に、回避されるべきものである。さらに、時として、現行のパッケージと共に使用されるクロージャ注ぎ口及び／又はキャップに対応することが、困難であることがある。しばしば、アンビルは、トップ密封工程中にクロージャに接触する（例えば、クロージャを擦削する）ことが、明らかになっている。さらに、アンビル装置は、各異なるカートン寸法ごとに対して、異なるものである必要がある。
【０００７】
したがって、多様な種々の寸法のカートンと共に使用可能である標準的なトップ・シーラが、必要である。望ましくは、そのようなトップ・シーラは、フィンが密封されていく際のトップ・フィンに対する下方向移動を低減する又はなくす動きを採用する。さらに望ましくは、そのような装置は、既知のシーラのかき切り下がり効果をなくし、現行の既知のクロージャ・システムに対応する。
【発明の開示】
【課題を解決するための手段】
【０００８】
ゲーブル・トップ・パッケージ用のトップ・シーラが、形成／充填／密封パッキング装置において形成され、充填され及び密封されるゲーブル・トップ・パッケージに対して構成される。トップ・シーラは、フレームと、フレームに対する往復運動のために設置された、フレームによって支持されるキャリッジとを有する。キャリッジは、部分的に円筒部を画成する。キャリッジは、それに設置されるカム従動子を有する。
【０００９】
シーラは、キャリッジに作動可能に連結された一対の対向アームを有する。各アームは、一端部の辺りでそれぞれ密封ジョーを支持し、対向端部でキャリッジに作動可能に連結される。
【００１０】
支持部分は、それにアームを設置するために構成される。各アームは、密封ジョーと対向端部との間にある枢動点で、支持部分に枢動可能に設置される。アームは、互いの方向に及び互いから離れるような、弧状プロファイル（輪郭）に沿った密封ジョーの枢動運動のために設置される。また、支持部分は、それに設置されるカム従動子を有する。
【００１１】
ピストンが、円筒部内に存在し、支持部に作動可能に連結された延在部分を有する。
【００１２】
カム要素が、キャリッジのカム従動子のための第１のカム軌道と、支持部分のカム従動子のための第２のカム軌道とを画成する。好ましくは、カムは、支持部分のカム従動子を係合するための内方軌道と、キャリッジのカム従動子を係合するための外方軌道とを有する、回転カム要素である。カムの回転が、互いに向かって密封ジョーを移動させるようにアームを枢動させるキャリッジを（直線的に）移動させる。また、カムの回転が、密封ジョーの移動プロファイルを変化させるように、（アームの）枢動点を移動させる。本シーラにおいて、密封ジョーの移動プロファイルは、プロファイルの初頭部分で急勾配にされ、その後に平坦化される。
【００１３】
トップ・シーラの支持部分は、ピストンによってキャリッジに設置される。ピストンは、密封ジョーによりトップ・フィン上に予め定められた力をもたらすように、密封サイクルの最終部分で作動される。密封ジョーの１つが、ゲーブル・トップ・パッケージ上のクロージャを受容するための開口中央領域を有する。
【００１４】
本発明のこれらの及び他の特徴並びに利点が、添付の特許請求の範囲と組み合わせて、以下の詳細な説明より明らかになろう。
【００１５】
本発明の利益及び利点が、以下の詳細な説明及び添付の図面の精査の後に、関連技術の当業者にとってより容易に明らかになるであろう。
【実施例】
【００１６】
本発明は、多様な形態における実施例が可能であるが、現時点において好ましい実施例が、本開示は本発明の例示のものとして見なされるべきであり、示される特定の実施例に本発明を限定することを意図されないものであるという認識の下において、図面において図示され、以下で説明される。
【００１７】
さらに、本明細書のこの部分のタイトル、すなわち「発明の詳細な説明」は、特許庁の要件に関係しており、本明細書において開示される主題を限定することを示すわけではなく、また本明細書において開示される主題を限定するように推察されるべきではないことを、理解すべきである。
【００１８】
次に、図面を、具体的には図１を参照すると、本発明の原理を具現化するトップ・シーラ１２を有する、形成／充填／密封パッキング装置１０が図示される。概して、形成／充填／密封装置１０は、平坦な折り畳まれた形態の一連のカートン・ブランクを格納し、管状形態にブランクを組み立て、カートンの底部フラップを折り込み及び密封し、それらが装置１０を通り移動する際にカートンＣを充填し及び密封するように、構成される。形成／充填／密封パッキング装置１０は、Ｋａｔｓｕｍａｔａの米国特許第６，０１２，２６７号に開示されるものなどであることが可能であり、この特許は、本発明の譲受人に譲受され、参照により本明細書に採用する。
【００１９】
形成／充填／密封工程を実行するために、パッキング装置１０は、平坦な折り畳まれたカートン・ブランクを格納するためのカートン格納室１４と、管状形態にカートンを組み立てるため、及びカートンの底部を折り込み密封するための、カートン組立ステーション１６及び底部形成／密封ステーション１８とを有する。また、典型的には、装置１０は、カートンを殺菌するための殺菌ステーション２０を有し、カートンが製品を充填される充填ステーション２２を有する。充填ステーション２２の後に、カートン・トップ・パネルＦが、トップ折込／密封ステーション２４で折り込まれ、密封される。
【００２０】
次いで、カートンＣが、形成／充填／密封パッキング装置１０から取り外される。図示されるパッキング装置１０は、ステーションのそれぞれへ及びステーションのそれぞれを通って、一連のカートンを輸送するためのコンベア２６を有する。
【００２１】
装置１０は、フィンＦのトップ密封部が形成される際に、クロージャＳ（使用される場合）が密封ジョー２８に接触しないように、トップ・シーラ１２中に（クロージャＳを有する、又は有さない）パッケージを円滑に供給するように構成される。有利には、トップ・シーラ１２は、以下で説明されるように、シーラ１２の多数の構成要素を交換する必要なしに、多様な種々の寸法のカートンに対して使用されることが可能である。
【００２２】
トップ・シーラ１２は、一対の対向する密封アーム３０を有する。アーム３０はそれぞれ、アーム３０の一端部３４でそれに設置される密封ジョー２８を有する上方部分３２を有する。アーム３０は、及びしたがってジョー２８は、互いに向かって移動し、パッケージＣを密封するように、トップ・フィン・パネルＦ１とＦ２との間で、トップ・フィン・パネルＦ１、Ｆ２を共に圧着する。図２において確認されるように、一方又は両方のジョー２８は、ジョー２８がトップ・フィンＦ上の位置に移動する際にクロージャ・キャップＳを受容するようになされた、開口中央領域３６を有する。そのようなものであるため、密封サイクルの際に、ジョー２８は、キャップＳが開口領域３６内に受容される状態で、キャップＳの「上方」を移動する。
【００２３】
アーム３０はそれぞれ、アーム３０の１つの対向端部４０（ジョー２８の対向側）でキャリッジ３８に設置される。アーム３０は、リンクとしての役割を果たすプレス・ビーム４２によって、キャリッジ３８に設置される。リンク４２は、第１の連結部４４でキャリッジ３８に枢動的に設置され、第２の連結部４６でアーム３０に枢動的に設置される。以下でより詳細に説明されるように、キャリッジ３８は、それに設置されるプレス・ビーム４２を有する第１の部分４８と、キャリッジ３８の往復運動を駆動する第２の部分５０とを有する。第２の部分５０は、その中に配置されるピストン５４を有する円筒部５２を有する。ピストン５４は、第１の部分４８に連結され、したがって第１のキャリッジ部分４８と第２のキャリッジ部分５０とを互いに作動可能に連結する。
【００２４】
また、アーム３０は、アーム３０が支持具５６に対して枢動するのを可能にする図示された枢動ピンなどによって、枢動位置５８でＴ支持具５６に枢動的に設置される。アーム３０は、アーム３０の全長に沿った、ジョー２８と第２の連結部４６との間にある中間位置（すなわち第３の連結部６０）で、支持具５６に設置される。実質的に、アーム３０は、第３の連結部６０の周囲を枢動する。枢動運動は、キャリッジ３８の往復(上下)運動によってもたらされる。キャリッジ３８が往復運動すると、プレス・ビーム４２は、ジョー２８のための弧状経路を画定するように第２の連結部４６を回転させる。
【００２５】
また、Ｔ支持具５６は、往復運動のために設置され、キャリッジ３８と同一の相対方向に動く。すなわち、Ｔ支持具５６及びキャリッジ３８は、同時に、６２で矢印により示される上下方向に、カートンＣの方向へ及びカートンＣから離れる方向へ動く。しかし、キャリッジ３８は、より大きな直線距離を移動し、アーム３０の弧状運動又は枢動運動をもたらす。以下に示されるように、Ｔ支持具５６の動きが、枢動位置５８を動かす。
【００２６】
図３及び図４を参照すると、キャリッジ３８及びＴ支持具５６の運動（例えば往復運動）は、６４で全体的に示されるカム装置の使用によって実現される。本システムにおいて、キャリッジ３８は、（例えば円筒部５２を含む部分である、第２の部分５０に）、回転カム要素７０中の外方軌道６８中を進むカム従動子６６を有する。カム要素７０は、モータ７１によって駆動される。簡単に図７及び図８を参照すると、同様に、Ｔ支持具５６は、カム要素７０中の、別のより小さいすなわち内方の軌道７４中を進むカム従動子７２を有する。（キャリッジ従動子６６とカム７０とからなる）このカム装置６４は、キャリッジ３８がＴ支持具５６に対して移動し、プレス・ビームすなわちリンク４２によりキャリッジ３８にアーム３０を連結することによって、アーム３０の枢動運動を可能にする。
【００２７】
（Ｔ支持具カム従動子７２がカム軌道７４中で動くことによる）Ｔ支持具５６の動きが、アーム３０のための枢軸５８の相対位置を移動させる。アーム３０がフィン・パネルＦの方向に内方に枢動すると、Ｔ支持具５６は、（７６で矢印によって示されるように）下方に動く。実質的に、これは、ジョー２８がクロージャＳに接触することなくクロージャＳを越えてクロージャＳの背後に（つまり、フィンＦパネルとクロージャＳとの間に）進むことが可能となるように、（より小さな弧状に）より急峻な度合いで下方にジョー２８を運ぶ。その結果として、クロージャＳは、ジョー２８が急角度で（すなわち、漸減的な下方向の弧状に）動いているため、回避されるが、そうでない場合には、この動きすなわち曲線プロファイルは、ジョーのトップ・フィンＦに沿った下方への擦削、及び／又はカートン・ゲーブルＧへの掻き下がりをもたらすことがある。
【００２８】
曲線プロファイルを修正するために、Ｔ支持具５６の下方移動が、拘束され又は減速され、アーム３０の枢動運動が、継続する。しかし、継続されるアームの動きは、キャリッジ３８のカム動作によってではなく、ピストン５４の作動によって実現される。図５及び図６を参照すると、ピストン５４が作動され、これは、キャリッジの第１の部分４８をさらに下方に動かすように力を加える。さらに、実質的に、これは、トップ・フィン・パネルＦ上に（ジョー２８で）予め設定された力を加えるように、（プレス・ビーム４２を介して）アーム３０を枢動させる。
【００２９】
本システムにおいて、ピストン５４の作動が、ジョー２８の弧状部を平坦化し、より水平に平行移動される動きにおいて、ジョー２８をフィンＦに接触する状態にする。理解されるように、水平移動は、フィンＦに沿って擦削する及び／又はカートン・ゲーブルＧに掻き下がる可能性を低減させる。
【００３０】
ピストン５４は、予め定められた又は予め設定された力を加えるように、空気圧によって作動され、その力は、パネルＦの密封部を形成するように、トップ・フィン・パネルＦ上のジョー２８によって（内方に）加えられる予め定められた力に変換される。そのようなものであるため、トップ密閉部を形成するように加えられる力は、回転するアーム３０によって加えられる装置の力とはある程度無関係であり、代わりにピストン５４の力によってかなりの程度まで決定される。有利なことには、これは、他の場合には非ピストン装置が適切な密封（例えば、閉じられたジョー間の適切な距離）を確実にするために必要とする、ジョー間の極度に厳しい精度を維持する必要性を低減させる。
【００３１】
上述で示されたように、このトップ・シーラ１２の利点の１つは、それが実質的に汎用ユニットであることである。１つのシーラ１２が、７０ｍｍ×７０ｍｍ、７０ｍｍ×９５ｍｍ、９１ｍｍ×９１ｍｍ、及び９５ｍｍ×９５ｍｍのカートン用に使用されることが可能である。当然、特定のカートン寸法用に設計されることが必要となり得るいくつかの構成要素がある（例えば、あるカム７０が、７０ｍｍ×７０ｍｍ、及び７０ｍｍ×９５ｍｍのカートン用に使用されることが可能であり、一方で異なるカムが、９１ｍｍ×９１ｍｍ、及び９５ｍｍ×９５ｍｍのカートンのために必要とされることが予期され、プレッシャ・プレート（ジョー２８）がカートン寸法に対して特定のものである必要があることが予期される）。それにもかかわらず、駆動システムの主要構成要素及びシーラ１２全体は、種々のカートンＣの寸法に対応する種々の装置において、使用されることが可能である。
【００３２】
本システム１２において、フィン・パネルＦ上にジョー２８によって加えられる力は、７０ｍｍ×７０ｍｍのカートンについては８０００Ｎであり、９５ｍｍ×９５ｍｍのカートンについては１２０００Ｎである。これは、それぞれ円筒部５２の２３５８Ｎ及び３６５７Ｎの力に対応する。
【００３３】
複数の及び多様な曲線部分が、シングル・カム装置６４と、円筒部５２と、ピストン５４との装置の使用によって実現されることが理解されよう。図１０は、円弧プロファイル（７８で示される）と比較した際の、ジョー２８の曲線プロファイルの誇張された図である。８０で示されるサイクル（曲線）の第１の部分において、密封ジョー２８は、アーム３０の枢動によって円弧に沿って内方に枢動される。８２で示される曲線の第２の部分において、弧は、急勾配にされ、クロージャ・キャップＳとの接触を回避するように、及びフィン・パネルＦとクロージャＳとの間に密封ジョーを移動させるように、下方向移動を漸進させる。８４で示される曲線の第３の部分において、弧は、トップ・フィンＦに沿った擦削及び／又はゲーブルＧへの掻き下がりを防止するように、より水平な動きでジョー２８を移動させるように平坦化される。これらの組み合わされた移動が、カム７０の動きではなくピストン５４の作動により与えられる密封力と組み合わさることにより、フィンＦの密封を行うための比較的一定の密封力を有し、一方で同時にフィンＦを擦削する又はゲーブル・トップＧに掻き下がる可能性を低減させる、トップ・シーラ１２を実現する。
【００３４】
本開示において、“ａ”又は“ａｎ”という語は、単数及び複数の両者を含むように解されるべきである。それに反して、複数のアイテムへの任意の言及は、適当な場合には、単一のものを含むものとする。
【００３５】
本明細書において参照された全ての特許は、本開示の文脈内でそれが具体的に参照されたか否かに関わらず、参照により本明細書に採用する。
【００３６】
前述より、多数の修正例及び変更例が、本発明の新規の構想の忠実な精神及び範囲から逸脱することなく、実施されることが可能であることが明らかになろう。説明された特定の実施例に関するいかなる限定も意図されず、また推察されるべきでないことを理解すべきである。本開示は、添付の特許請求の範囲によって、特許請求の範囲内にあるような全ての修正例を範囲に含むことが意図される。
【図面の簡単な説明】
【００３７】
【図１】本発明の原理による汎用トップ密閉システムを有する、例示の形成／充填／密封パッキング装置の斜視図である。
【図２】汎用トップ・シーラの斜視図である。
【図３】アームが開位置にある状態の、密封アームの下方部分と、キャリッジに設置されたプレス・ビームとを示す、シーラの部分正面図である。
【図４】密封アームの下方部分と、キャリッジに設置されたプレス・ビームとを示すが、下方向に移動するキャリッジと、密封位置の方向へ外方向に移動する密封アーム（これは、アームの上方部分を内方に移動させる）の下方部分とを示す、図３と同様のシーラの部分正面図である。
【図５】次いで密封位置に密封部を移動させる、最下方位置にあるキャリッジを示す、及び円筒部の動きを示す、図４と同様の図である。
【図６】アームが完全に開位置にある状態の、トップ・シーラの部分断面図である。
【図７】その中のゲーブル・トップ・カートンが開状態にある、トップ・シーラの図である。
【図８】その中のゲーブル・トップ・カートンが密封状態にある、トップ・シーラの図である。
【図９】カートンの上方端部の斜視図である。
【図１０】密封ジョーの移動の誇張されたプロファイルである。
【符号の説明】
【００３８】
１０  形成／充填／密封パッキング装置
１２  トップ・シーラ
１４  カートン格納室
１６  カートン組立ステーション
１８  底部形成／密封ステーション
２０  殺菌ステーション
２２  充填ステーション
２４  トップ折込／密封ステーション
２６  コンベア
２８  密封ジョー
３０  密封アーム
３２  上方部分
３４  一端部
３６  開口中央領域
３８  キャリッジ
４０  対向端部
４２  プレス・ビーム、リンク
４４  第１の連結部
４６  第２の連結部
４８  第１の部分
５０  第２の部分
５２  円筒部
５４  ピストン
５６  Ｔ支持具
５８  枢動位置、枢軸
６０  第３の連結部
６２  矢印
６４  カム装置
６６  カム従動子
６８  外方軌道
７０  カム要素
７１  モータ
７２  カム従動子
７４  内方の軌道
７６  矢印
７８  円弧プロファイル
８０  サイクルの第１の部分
８２  第２の部分
８４  第３の部分
Ｃ  カートン、パッケージ
Ｆ  カートン・トップ・パネル、トップ・フィン・パネル、トップ・フィン、フィン・パネル、フィン、パネル
Ｓ  クロージャ、キャップ、クロージャ・キャップ
【図１】
2008280090.tif 000003
【図２】
2008280090.tif 000004
【図３】
2008280090.tif 000005
【図４】
2008280090.tif 000006
【図５】
2008280090.tif 000007
【図６】
2008280090.tif 000008
【図７】
2008280090.tif 000009
【図８】
2008280090.tif 000010
【図９】
2008280090.tif 000011
【図１０】
2008280090.tif 000012